(57)【特許請求の範囲】
【請求項１】
シャフトの先端部にヘッドを備え、このヘッドのフェース面のロフト角が１５〜３０°の範囲内で異なる複数の番手により構成されたゴルフクラブセットにおいて、
ソール（６）を除く金属製中空のヘッド本体（５）の中空内部のソール（６）上にヘッド（２）の重心位置調整用錘（９）を具備し、
この錘（９）がヘッド本体（５）よりも比重の大きい材料よりなり、
ヘッド（２）の重心（Ｏ）をフェース面（４）に対し垂直に下ろしたフェース面位置、すなわち重心投影点（Ｐ）のソール（６）に接する水平面（Ｈ）からの垂直な高さ（ｈ）を各クラブの番手間を通じて２０〜２３ｍｍの範囲でほぼ一定としたことを特徴とするゴルフクラブセット。
【請求項２】
ソール上のトウ側及びヒール側部分にヘッドの重心位置調整用錘を具備することを特徴とする請求項１に記載のゴルフクラブセット。
【請求項３】
ソール上のトウとヒールの中間部にヘッドの重心位置調整用錘を具備することを特徴とする請求項１又は２に記載のゴルフクラブセット。
【請求項４】
ソールの肉厚をクラブの番手が大きくなるに従って厚く形成したことを特徴とする請求項１ないし３のいずれか１項に記載のゴルフクラブセット。
【請求項５】
ヘッドのフェース〜バック間の幅がソール〜トップ部間の高さより大であることを特徴とする請求項１ないし４のいずれか１項に記載のゴルフクラブセット。
【発明の詳細な説明】
【０００１】
【発明の属する技術分野】
本発明は打ち損じが少ないゴルフクラブセット、特にヘッドが中空の金属によって形成された複数の番手よりなる、打ち損じが少ないフェアウエイウッドセットに関するものである。
【０００２】
【従来の技術】
ゴルフ用フェアウエイウッドは、通常ヘッドのロフト角につき凡そ１５〜３０°の範囲を、１．５〜４°刻みに変化形成した複数本より成るクラブのセット（例えば♯３〜♯９の番手）によって構成されていることは知られている通りである。
【０００３】
クラブでボールをヒットしたとき、ボールに対し最も効率良くエネルギーを伝達させ得るヘッドのフェース面上の位置は、ヘッド内重心位置よりフェース面に対し垂直に下ろした点（以下、重心投影点と云う）、またはその近傍に存在する。そしてこの重心投影点のフェース面上における位置は、ロフト角が小さいドライバーの場合、フェース面の幾何学上の中心点か、それよりややトップ部に寄った部分に通常設定されている。
【０００４】
一方フェアウエイウッドの場合は、ドライバーに比べてロフト角がクラブの番手に応じて増大するため、フェース面上重心投影点の位置が、フェース面の中心よりもヘッドのトップ部方向へ番手が大きくなるに連れ移行し、ヘッドの体積がクラブの番手増大に伴い減少する傾向があることもあって、上記重心投影点は、フェース面の上端から外れてしまうことがしばしばである。このようなヘッドをもつクラブを用いると、重心投影点より下方部分でボールをヒットすることになるため、予期した以上にスピンがボールにかかり、ボールが高く上がり過ぎて距離が出ない上、打感及び打球音が著しく低下すると云う問題が生じる。
【０００５】
ロフト角の増加に準じて、ヘッドの重心投影点が規則的にフェース面の上方へ移行するだけなら、それによる上記問題を承知の上でプレイ時にクラブを選択すれば、打ち損じの被害は比較的少なくすませるが、フェース面上の重心投影点の位置がクラブの番手と無関係にばらばらであったり、その中に重心投影点外れのものが加わると問題が複雑になる。
何れにしても、従来フェアウエイウッドに関しては、フェース面に対する重心投影点の位置関係について殆ど考慮が払われていなかった。
【０００６】
【発明が解決しようとする課題】
本発明は上記問題点に鑑みなされたもので、ボールに対し普通にヒットさえすれば、ロフト角に応じた飛距離を得ることができ、その上フェアウエイ上においてボールをとらえやすい、打ち損じの少ないゴルフクラブセットを提供することを目的とする。
【０００７】
【課題を解決するための手段】
本発明は、シャフトの先端部にヘッドを備え、このヘッドのフェース面のロフト角が１５〜３０°の範囲内で異なる複数の番手により構成されたゴルフクラブセットにおいて、ソールを除く金属製中空のヘッド本体の中空内部のソール上にヘッドの重心位置調整用錘を具備し、この錘がヘッド本体よりも比重の大きい材料よりなり、ヘッドの重心をフェース面に対し垂直に下ろしたフェース面位置、すなわち重心投影点のソールに接する水平面からの垂直な高さを各クラブの番手間を通じて２０〜２３ｍｍの範囲でほぼ一定としたものである。
【０００８】
ソールについては、その肉厚をクラブの番手が大きくなるに従って厚く形成することができる。
【０００９】
またソールにつき、ヘッドを構成するその他の部分よりも比重の大きい材料によって形成することもできる。ヘッドのソール以外の部分をチタンやアルミ等比重が５以下の金属材料を用いる場合、ソールの部分は、ステンレス、銅、真鍮、鉄等、比重がより大きい金属材料の単独、または複数種類を適宜組み合わせて形成することができる。
【００１０】
ソールのトウ側及びヒール側部分にヘッドの重心位置調整用錘を配置することができる。重心位置調整用錘は、これに加え、または単独にソール上のトウとヒールの中間部に設けることも可能である。
この場合上記錘は、ヘッドを構成する材料、特にソール構成材料よりも比重の大きい材料を用いることが好ましい。
【００１１】
またヘッドの形状に関し、フェース〜バック間の幅がソール〜トップ部間の高さより大であることが好ましい。
【００１２】
【発明の実施の形態】
以下図面に基づき説明する。
図１は本発明における１実施例を示すロフト角１７°を有するクラブヘッドの幅方向断面図、図２及び図３はそれぞれロフト角１９°及び２１°を有するクラブヘッドの幅方向断面図である。そして図４は図２に示すヘッドの長さ方向断面図である。
【００１３】
本発明は、シャフト（図示せず）の先端部にヘッド2を備え、ヘッド2のフェース面4のロフト角αが１５〜３０°の範囲内で異なる複数の番手によって構成されたゴルフクラブ11、12、13…のセットにおいて、上記ヘッド2は、ソール6を除く金属製中空のヘッド本体5が比較的比重の小さい金属によって形成されると共に、ヘッド2の重心Oをフェース面4に対し垂直に下ろしたフェース面位置（重心投影点）Pの高さhが、上記クラブの番手間を通じほぼ一定であるようにする。
ロフト角αは、ヘッド2を水平な面Hにセットした状態でフェース面4が水平面Hに直交する線vに対しなす角度である。上記の高さhもこの水平面Hから重心投影点Pまでの垂直線の長さである。
【００１４】
図１に示すロフト角α1が１７°の３番ウッドクラブの例では、重心投影点Pの高さh1は２２．８mm、同様に図２に示すロフト角α2が１９°の４番ウッドクラブの例では、重心投影点Pの高さh2は２２．２mm、そして図３に示すロフト角α3が２１°の５番ウッドクラブの例では、重心投影点Pの高さh3は２２．０mmと、ロフト角αが１７〜２１°において重心投影点Pの高さhは実質上一定の値である。このように本発明においては、ロフト角αが１５〜３０°を通じ重心投影点Pの高さhがほぼ一定である。
重心投影点Pの高さhにつき、より具体的には、２０〜２３mmの範囲が好ましく、上限下限間の差が３mm以内であれば許容できる。
【００１５】
ソール6の肉厚はクラブの番手が大きくなるに従って厚く形成することができる。またソール6を、ヘッド2を構成する他の部分、即ちフェース3、バック10、トップ部11を含む金属製中空のヘッド本体5よりも比重の大きい材料によって形成することが好ましい。ソール6を除くヘッド本体5にチタン（比重…以下同じ…４．５）またはその合金、アルミ（２．７）またはその合金等、５以下の比重を有する金属材料を用いる場合、ソール6にはステンレス（７．８）、銅（８．９）またはその合金、鉄（７．６）、亜鉛（７．１）ニッケル（８．９）等の金属が好適である。しかしこの実施例においては、ヘッド本体5とソール6とをチタンで形成した。但し、ソール6の肉厚について３番ウッドのソール61を1.8mm、４番ウッドのソール62を2.3mmそして５番ウッドのソール63を3.3mmと順次厚みを厚く形成した。
【００１６】
クラブの番手に応じて、このようにソール6の厚みに変化をもたせることは、重心投影点Pの高さhの調節に効果的である。しかしより直接的な方法として、ヘッド本体5を構成する材料よりも比重の大きい金属、例えばタングステン（比重１９）またはその合金のような高比重の錘9をヘッド本体5の中空内部のソール6上に固着し、高さhを調節することができる。錘9の配置位置は、図４に示すように、トウ7寄り部分及びヒール8寄り部分に一応配置することができる。これに加え、またはこれとは無関係に錘9をヘッドの長さn方向中央部に配置することができる。
【００１７】
ソール6部分への錘9の配置は、図４に示すように、錘9の両側からホルダー12を用いてソール6の上面に固定することができる。錘9の固定はその他、トウ7部分及びヒール8部分への配置例として図４に示すように、ソール6を錘9の厚み相当分上方に変形させて窪みを設け、その窪み内に錘9をはめ込み固定することができる。図中符号13は、錘9の脱落を防止するためのかしめ部である。
【００１８】
ヘッドのフェース3〜バック10間の幅wは、ソール6〜トップ部11間の高さjより大であることが重心投影点Pの高さh調節の面から有利である。ヘッド幅w／ヘッド高さjは１．５〜３．０が好ましい。
【００１９】
【発明の効果】
本発明は、シャフトの先端部にヘッドを備え、このヘッドのフェース面のロフト角が１５〜３０°の範囲内で異なる複数の番手により構成されたゴルフクラブセットにおいて、ソールを除く金属製中空のヘッド本体の中空内部のソール上にヘッドの重心位置調整用錘を具備し、この錘がヘッド本体よりも比重の大きい材料よりなり、ヘッドの重心をフェース面に対し垂直に下ろしたフェース面位置、すなわち重心投影点のソールに接する水平面からの垂直な高さを各クラブの番手間を通じて２０〜２３ｍｍの範囲でほぼ一定としたので、プレイ時においてボールに対し普通にヒットしさえすれば、ロフト角に応じた飛距離を得ることができ、その上フェアウエイ上においてボールを有利にとらえやすく、打ち損じを極力低減することができるのである。
【図面の簡単な説明】
【図１】  本発明における１実施例を示すロフト角１７°を有するクラブヘッドの幅方向断面図である。
【図２】  同じくロフト角が１９°を有するクラブヘッドの幅方向断面図である。
【図３】  同じくロフト角が２１°を有するクラブヘッドの幅方向断面図である。
【図４】  図２に示すヘッドの長さ方向断面図である。
【符号の説明】
1  ゴルフクラブ
2  ヘッド
3  フェース
4  フェース面
5  ヘッド本体
6  ソール部
9  錘
α  ロフト角
O  ヘッドの重心
P  重心投影点
h  フェース面に対する重心投影点の高さ
H  ソールに接する水平面
【図１】
0003762587.tif 000002
【図２】
0003762587.tif 000003
【図３】
0003762587.tif 000004
【図４】
0003762587.tif 000005